(57)【要約】【課題】装着に要する時間や手間が増大するのを効果的に抑止する。【解決手段】胸腹部を保護するプロテクター本体１に、首掛け用又は肩掛け用の掛けベルト２と、胴廻し用の廻しベルト３と、掛けベルト２と廻しベルト３の中間部どうしを連結する連結ベルト４が設けられているとともに、廻しベルト３の少なくとも一端部が、プロテクター本体１に対して脱着自在に構成されている胸腹部プロテクターＰにおいて、廻しベルト３における連結ベルト４の接続領域Ｐ１又はそれに相当する接続相当領域よりもベルト長手方向に広い領域について湾曲及び屈曲を抑止する姿勢保持手段５が設けられている。【選択図】図１
2008266807.tif 000002
【特許請求の範囲】
【請求項１】
胸腹部を保護するプロテクター本体に、首掛け用又は肩掛け用の掛けベルトと、胴廻し用の廻しベルトと、前記掛けベルトと前記廻しベルトの中間部どうしを連結する連結ベルトが設けられているとともに、前記廻しベルトの少なくとも一端部が、前記プロテクター本体に対して脱着自在に構成されている胸腹部プロテクターであって、
前記廻しベルトにおける前記連結ベルトの接続領域又はそれに相当する接続相当領域よりもベルト長手方向に広い領域について湾曲及び屈曲を抑止する姿勢保持手段が設けられている胸腹部プロテクター。
【請求項２】
前記姿勢保持手段の姿勢保持領域には、前記廻しベルトの前記接続領域及びそれの両側脇領域、又は、前記廻しベルトの前記接続相当領域及びそれの両側脇領域が含まれている請求項１記載の胸腹部プロテクター。
【請求項３】
前記姿勢保持手段の姿勢保持領域には、前記接続領域又は前記接続相当領域に連続する前記連結ベルトの一部も含まれている請求項２記載の胸腹部プロテクター。
【請求項４】
前記姿勢保持手段が、前記姿勢保持領域について湾曲及び屈曲を接当により抑止する姿勢保持部材から構成されているとともに、前記姿勢保持部材を前記廻しベルト又は前記連結ベルト若しくはそれらの両方に脱着自在に取り付ける取り付け手段が設けられている請求項１〜３のいずれか１項に記載の胸腹部プロテクター。
【請求項５】
前記取り付け手段が、前記姿勢保持部材のみに設けられている請求項４記載の胸腹部プロテクター。
【請求項６】
前記取り付け手段が、前記姿勢保持部材の移動を一定範囲内で許容する状態で姿勢保持部材を取り付ける構成である請求項４又は５記載の胸腹部プロテクター。
【請求項７】
前記取り付け手段を構成するのに、前記姿勢保持部材には、前記廻しベルト又は前記連結ベルトを姿勢保持部材の移動代に相当する余幅を持ってベルト幅方向で包囲する取り付けバンドが設けられている請求項６記載の胸腹部プロテクター。
【請求項８】
前記姿勢保持手段が、前記姿勢保持領域について湾曲及び屈曲を接当により抑止する姿勢保持部材から構成され、前記姿勢保持部材を前記廻しベルト及び前記連結ベルトに脱着自在に取り付ける取り付け手段が設けられているとともに、
前記取り付け手段を構成するのに、前記姿勢保持部材には、前記廻しベルト又は前記連結ベルトを姿勢保持部材の移動代に相当する余幅を持ってベルト幅方向で包囲する取り付けバンドが、前記廻しベルトにおける前記接続領域の両側脇領域に夫々対応する部位、及び、前記連結ベルトの中間領域に対応する部位、並びに、連結ベルトの中間領域よりも掛けベルト側の掛けベルト側領域に対応する部位に配設されている請求項３記載の胸腹部プロテクター。
【請求項９】
前記連結バンドの掛けベルト側領域に対応する部位に配設された前記取り付けバンドの包囲幅が、連結ベルトの中間領域に対応する部位に配設された取り付けバンドの包囲幅よりも広く構成されている請求項８記載の胸腹部プロテクター。
【請求項１０】
胸腹部を保護するプロテクター本体に、首掛け用又は肩掛け用の掛けベルトと胴廻し用の廻しベルトが互いに独立する状態で設けられているとともに、前記廻しベルトの少なくとも一端部が、前記プロテクター本体に対して脱着自在に構成されている胸腹部プロテクターであって、
前記廻しベルトの湾曲及び屈曲を抑止する姿勢保持手段が設けられている胸腹部プロテクター。
【請求項１１】
胸腹部を保護するプロテクター本体に、首掛け用又は肩掛け用の掛けベルトと、胴廻し用の廻しベルトと、前記掛けベルトと前記廻しベルトの中間部どうしを連結する連結ベルトが設けられているとともに、前記廻しベルトの少なくとも一端部が、前記プロテクター本体に対して脱着自在に構成されている胸腹部プロテクターに用いられる姿勢保持部材であって、
前記廻しベルトにおける前記連結ベルトの接続領域よりもベルト長手方向に広い領域について湾曲及び屈曲を接当により抑止する部材本体に、前記胸腹部プロテクターに対して脱着自在に取り付け可能な取り付け部が設けられている姿勢保持部材。
【請求項１２】
胸腹部を保護するプロテクター本体に、首掛け用又は肩掛け用の掛けベルトと胴廻し用の廻しベルトが互いに独立する状態で設けられているとともに、前記廻しベルトの少なくとも一端部が、前記プロテクター本体に対して脱着自在に構成されている胸腹部プロテクターに用いられる姿勢保持部材であって、
前記廻しベルトの湾曲及び屈曲を接当により抑止する部材本体に、前記胸腹部プロテクターに対して脱着自在に取り付け可能な取り付け部が設けられている姿勢保持部材。
【発明の詳細な説明】
【技術分野】
【０００１】
本発明は、胸腹部への衝撃力の伝達を抑止する目的で上半身に装着される胸腹部プロテクター及びそれに用いられる姿勢保持部材に関する。
【背景技術】
【０００２】
この種の胸腹部プロテクターとしては、（１）胸腹部を保護するプロテクター本体に、首掛け用又は肩掛け用の掛けベルトと、胴廻し用の廻しベルトと、掛けベルトと廻しベルトの中間部どうしを連結する連結ベルトが設けられているとともに、廻しベルトの少なくとも一端部が、プロテクター本体に対して脱着自在に構成されたもの（例えば、下記特許文献１の図６（イ）を参照）、（２）胸腹部を保護するプロテクター本体に、首掛け用又は肩掛け用の掛けベルトと胴廻し用の廻しベルトが互いに独立する状態で設けられているとともに、廻しベルトの少なくとも一端部が、前記プロテクター本体に対して脱着自在に構成されているもの（例えば、特許文献１の図６（ロ）を参照）、という装着形態の異なる２つのタイプが知られている。
【０００３】
どちらのタイプの胸腹部プロテクターにしても、掛けベルト及び廻しベルトは、伸縮性素材や非伸縮性素材からなる帯状体にベルト長さ調節用の送りカンなどを配設して構成されており、掛けベルトを装着者の首又は肩に掛けたのち、装着者の背面側で廻しベルトの取り付け端部を掴まえてプロテクター本体に取り付ける装着方法を採る。
【０００４】
【特許文献１】特開２０００−１７６０７２号公報
【発明の開示】
【発明が解決しようとする課題】
【０００５】
ところが、上記の如き従来の胸腹部プロテクターでは、掛けベルトを装着者の首又は肩に掛けた仮装着状態にする際に、廻しベルトが連結ベルトや掛けベルトに絡まったり、プロテクター本体に引っ掛かったりし易く、そのため、仮装着状態において廻しベルトの取り付け端部が本来あるべき位置範囲から外れて、装着者が仮装着状態から背面側で廻しベルトの取り付け端部を掴まえるのが難しなってしまう。
【０００６】
そして、このことは、装着者の背面側がそもそも視認しづらいことも相俟って、装着に要する時間や手間を不測に増大させる重大な要因となっていた。
【０００７】
本発明は、上述の実情に鑑みて為されたものであって、その主たる課題は、装着に要する時間や手間が増大するのを効果的に抑止することのできる胸腹部プロテクター及びそれに用いられる姿勢保持部材を提供する点にある。
【課題を解決するための手段】
【０００８】
本発明の第１特徴構成は胸腹部プロテクターに係り、その特徴は、
胸腹部を保護するプロテクター本体に、首掛け用又は肩掛け用の掛けベルトと、胴廻し用の廻しベルトと、前記掛けベルトと前記廻しベルトの中間部どうしを連結する連結ベルトが設けられているとともに、前記廻しベルトの少なくとも一端部が、前記プロテクター本体に対して脱着自在に構成されている胸腹部プロテクターであって、
前記廻しベルトにおける前記連結ベルトの接続領域又はそれに相当する接続相当領域よりもベルト長手方向に広い領域について湾曲及び屈曲を抑止する姿勢保持手段が設けられている点にある。
【０００９】
上記特徴構成によれば、前記姿勢保持手段によって前記廻しベルトにおける前記連結ベルトの接続領域又はそれに相当する接続相当領域よりもベルト長手方向に広い領域について湾曲及び屈曲を抑止するから、掛けベルトを装着者の首又は肩に掛けた仮装着状態にする際に、廻しベルトが連結ベルトや掛けベルトに絡まったりプロテクター本体に引っ掛かったりするのを効果的に抑止することができる。
【００１０】
したがって、仮装着状態において廻しベルトの取り付け端部が本来あるべき位置範囲に配置される確率を効果的に向上させることができて、装着に要する時間や手間が不測に増大するのを効果的に抑止することができる。
【００１１】
本発明の第２特徴構成は、第１特徴構成の実施に好適な構成であり、その特徴は、
前記姿勢保持手段の姿勢保持領域には、前記廻しベルトの前記接続領域及びそれの両側脇領域、又は、前記廻しベルトの前記接続相当領域及びそれの両側脇領域が含まれている点にある。
【００１２】
上記特徴構成によれば、姿勢保持手段によって、廻しベルトの接続領域及びそれの両側脇領域、又は、廻しベルトの接続相当領域及びそれの両側脇領域について湾曲及び屈曲を抑止するから、廻しベルトが連結ベルトに絡まるのを一層効果的に抑止することができる。
【００１３】
本発明の第３特徴構成は、第２特徴構成の実施に好適な構成であり、その特徴は、
前記姿勢保持手段の姿勢保持領域には、前記接続領域又は前記接続相当領域に連続する前記連結ベルトの一部も含まれている点にある。
【００１４】
上記特徴構成によれば、姿勢保持手段によって、前記接続領域又は前記接続相当領域に連続する前記連結ベルトの一部についても湾曲及び屈曲を抑止するから、廻しベルトが連結ベルトに絡まるのをさらに一層効果的に抑止することができる。
【００１５】
本発明の第４特徴構成は、第１〜第３特徴構成のいずれかの実施に好適な構成であり、その特徴は、
前記姿勢保持手段が、前記姿勢保持領域について湾曲及び屈曲を接当により抑止する姿勢保持部材から構成されているとともに、前記姿勢保持部材を前記廻しベルト又は前記連結ベルト若しくはそれらの両方に脱着自在に取り付ける取り付け手段が設けられている点にある。
【００１６】
上記特徴構成によれば、前記取り付け手段によって、姿勢保持部材を取り付けた使用形態と姿勢保持部材を取り外した使用形態とに選択的に変更することができるから、身体形状や装着感の好みが異なる複数の使用者による共通利用が図り易いものとすることができる。
【００１７】
本発明の第５特徴構成は、第４特徴構成の実施に好適な構成であり、その特徴は、
前記取り付け手段が、前記姿勢保持部材のみに設けられている点にある。
【００１８】
上記特徴構成によれば、姿勢保持部材の装備されていない既存の胸腹部プロテクターに対しても前記姿勢保持部材を取り付けることができるから、既存の胸腹部プロテクターについても、掛けベルトを装着者の首又は肩に掛けた仮装着状態にする際に、廻しベルトが連結ベルトや掛けベルトに絡まったりプロテクター本体に引っ掛かったりするのを効果的に抑止することができる。
【００１９】
本発明の第６特徴構成は、第４又は第５特徴構成の実施に好適な構成であり、その特徴は、
前記取り付け手段が、前記姿勢保持部材の移動を一定範囲内で許容する状態で姿勢保持部材を取り付ける構成である点にある。
【００２０】
上記特徴構成によれば、装着時において使用者ごとの身体の形状や姿勢に応じた納まりのよい位置に姿勢保持部材を配置することができて、装着時の着用感を良好に確保することができる。
【００２１】
本発明の第７特徴構成は、第６特徴構成の実施に好適な構成であり、その特徴は、
前記取り付け手段を構成するのに、前記姿勢保持部材には、前記廻しベルト又は前記連結ベルトを姿勢保持部材の移動代に相当する余幅を持ってベルト幅方向で包囲する取り付けバンドが設けられている点にある。
【００２２】
上記特徴構成によれば、簡素な構造でありながらも、姿勢保持部材の移動をベルト幅方向、さらには、ベルト長さ方向にも効果的に許容することができて、装着時の着用感を一層良好に確保することができる。
【００２３】
本発明の第８特徴構成は、第３特徴構成の実施に好適な構成であり、その特徴は、
前記姿勢保持手段が、前記姿勢保持領域について湾曲及び屈曲を接当により抑止する姿勢保持部材から構成され、前記姿勢保持部材を前記廻しベルト及び前記連結ベルトに脱着自在に取り付ける取り付け手段が設けられているとともに、
前記取り付け手段を構成するのに、前記姿勢保持部材には、前記廻しベルト又は前記連結ベルトを姿勢保持部材の移動代に相当する余幅を持ってベルト幅方向で包囲する取り付けバンドが、前記廻しベルトにおける前記接続領域の両側脇領域に夫々対応する部位、及び、前記連結ベルトの中間領域に対応する部位、並びに、連結ベルトの中間領域よりも掛けベルト側の掛けベルト側領域に対応する部位に配設されている点にある。
【００２４】
上記特徴構成によれば、前記姿勢保持部材によって、前記廻しベルトの前記接続領域及びそれの両側脇領域、並びに、前記接続領域に連続する前記連結ベルトの一部も含む領域について湾曲及び屈曲を抑止することに対し、前記取り付けバンドによって、廻しベルトにおける前記接続領域の両側脇領域、及び、連結ベルトの中間領域、並びに、連結ベルトの中間領域よりも掛けベルト側の掛けベルト側領域に夫々取り付ける形態で、姿勢保持部材を安定的に取り付けることができて、姿勢保持部材による上述した装着時間や装着手間の増大抑止効果を効果的に得ることができる。
【００２５】
本発明の第９特徴構成は、第８特徴構成の実施に好適な構成であり、その特徴は、
前記連結バンドの掛けベルト側領域に対応する部位に配設された前記取り付けバンドの包囲幅が、連結ベルトの中間領域に対応する部位に配設された取り付けバンドの包囲幅よりも広く構成されている点にある。
【００２６】
上記特徴構成によれば、廻しベルトに対する掛けベルトの移動を一層効果的に許容することができて、姿勢保持部材による上述した装着時間や装着手間の増大抑止効果を効果的に得ることができながらも、装着時の着用感をさらに良好に確保することができる。
【００２７】
本発明の第１０特徴構成は胸腹部プロテクターに係り、その特徴は、
胸腹部を保護するプロテクター本体に、首掛け用又は肩掛け用の掛けベルトと胴廻し用の廻しベルトが互いに独立する状態で設けられているとともに、前記廻しベルトの少なくとも一端部が、前記プロテクター本体に対して脱着自在に構成されている胸腹部プロテクターであって、
前記廻しベルトの湾曲及び屈曲を抑止する姿勢保持手段が設けられている点にある。
【００２８】
上記特徴構成によれば、前記姿勢保持手段によって前記廻しベルトの湾曲及び屈曲を抑止するから、掛けベルトを装着者の首又は肩に掛けた仮装着状態において、廻しベルトが掛けベルトに絡まったりプロテクター本体に引っ掛かったりするのを効果的に抑止することができる。
【００２９】
したがって、仮装着状態において廻しベルトの取り付け端部が本来あるべき位置範囲に配置される確率を効果的に向上させることができて、装着に要する時間や手間が不測に増大するのを効果的に抑止することができる。
【００３０】
本発明の第１１特徴構成は姿勢保持部材に係り、その特徴は、
胸腹部を保護するプロテクター本体に、首掛け用又は肩掛け用の掛けベルトと、胴廻し用の廻しベルトと、前記掛けベルトと前記廻しベルトの中間部どうしを連結する連結ベルトが設けられているとともに、前記廻しベルトの少なくとも一端部が、前記プロテクター本体に対して脱着自在に構成されている胸腹部プロテクターに用いられる姿勢保持部材であって、
前記廻しベルトにおける前記連結ベルトの接続領域よりもベルト長手方向に広い領域について湾曲及び屈曲を接当により抑止する部材本体に、前記胸腹部プロテクターに対して脱着自在に取り付け可能な取り付け部が設けられている点にある。
【００３１】
上記特徴構成によれば、前記姿勢保持部材によって前記廻しベルトにおける前記連結ベルトの接続領域又はそれに相当する接続相当領域よりもベルト長手方向に広い領域について湾曲及び屈曲を抑止することができるから、装着に要する時間や手間が不測に増大するのを効果的に抑止することができる胸腹部プロテクターを構成することができる。
【００３２】
しかも、姿勢保持部材の装備されていない既存の胸腹部プロテクターについても姿勢保持部材を取り付けることができ、実用性の面でも優れたものとすることができる。
【００３３】
本発明の第１２特徴構成は姿勢保持部材に係り、その特徴は、
胸腹部を保護するプロテクター本体に、首掛け用又は肩掛け用の掛けベルトと胴廻し用の廻しベルトが互いに独立する状態で設けられているとともに、前記廻しベルトの少なくとも一端部が、前記プロテクター本体に対して脱着自在に構成されている胸腹部プロテクターに用いられる姿勢保持部材であって、
前記廻しベルトの湾曲及び屈曲を接当により抑止する部材本体に、前記胸腹部プロテクターに対して脱着自在に取り付け可能な取り付け部が設けられている点にある。
【００３４】
上記特徴構成によれば、前記姿勢保持部材によって前記廻しベルトの湾曲及び屈曲を抑止することができるから、装着に要する時間や手間が不測に増大するのを効果的に抑止することができる胸腹部プロテクターを構成することができる。
【００３５】
しかも、姿勢保持部材の装備されていない既存の胸腹部プロテクターについても姿勢保持部材を取り付けることができ、実用性の面でも優れたものとすることができる。
【発明を実施するための最良の形態】
【００３６】
［第１実施形態］
図１は、野球やソフトボールのキャッチャーが使用する胸腹部プロテクターＰを示し、キャッチャーの胸腹部を保護するプロテクター本体１には、首掛け用又は肩掛け用の掛けベルト２と、胴廻し用の廻しベルト３と、掛けベルト２と廻しベルト３の中間部どうしを連結する連結ベルト４が設けられているとともに、廻しベルト３の所定領域について湾曲及び屈曲を抑止する姿勢保持部材５（前記姿勢保持手段の一例）が設けられている。
【００３７】
前記プロテクター本体１は、キャッチャーの上半身のうち、両肩部から胸腹部を被覆する形態で構成されており、一方の肩部１ａ（本例では、右投げのキャッチャーが球を投げるのに使用しない左側の肩部）には、上碗部を被覆する上腕部保護体８が縫着されている。
【００３８】
図示しないが、前記プロテクター本体１及び上腕部保護体８は、発泡樹脂製の芯材をナイロン生地や布生地等からなる表面材と裏面材とで挟み込む状態で被覆して構成されている。
【００３９】
前記掛けベルト２は、伸縮性素材からなる一対の弾性帯２ａ、２ｂを皮革製の上部接続部材４ｄで接続して構成されている。掛けベルト２のベルト両端部の夫々は、プロテクター本体１の両肩部１ａに対し直接或いは止具などを介して止着されている。
【００４０】
前記廻しベルト３は、前記掛けベルト２よりもやや幅広の弾性帯３ａに送りカン３ｂ（長さ調節具の一例）を配設して構成されている。この廻しベルト３は、ベルト両端部の夫々がプロテクター本体１の胴部１ｂ下方における両側縁部に対しサイドリリース型のワンタッチバックル３Ａ（連結具の一例）を介して脱着自在に連結されている。
【００４１】
前記ワンタッチバックル３Ａは、互いに係脱自在な雄型係止体３ｃと雌型係止体３ｄとから構成されている。前記雄型係止体３ｃは、前記廻しベルト３のベルト両端部の夫々に取り付けられている。一方、前記雌型係止体３ｄは、プロテクター本体１の胴部１ｂ下方における両側縁部の夫々に止着されている。
【００４２】
前記連結ベルト４は、前記廻しベルト３を挿通保持する皮革製の下部接続部材４ａと、下部接続部材取り付け用及びベルト長さ調節用の送りカン４ｂとを非伸縮性素材からなる織物製の非弾性帯４ｃに配設して構成されている。
【００４３】
この連結ベルト４のベルト上端部は、前記上部接続部材４ｄに縫着される形態で前記掛けベルト２の中間部に接続されている。一方、連結ベルト４のベルト下端部は、前記下部接続部材４ａを介して廻しベルト３の中間部に接続されている。
【００４４】
前記姿勢保持部材５は、図１〜図３に示すように、前記廻しベルト３における連結ベルト４の接続領域Ｐ１（本例では、下部接続部材４ａの取り付け領域）よりもベルト長手方向に広い領域（姿勢保持領域）について湾曲及び屈曲を接当により抑止する部材本体６に、胸腹部プロテクターＰに対して部材本体６を脱着自在に取り付け可能な取り付け部７（取り付け手段の一例）を設けて構成されている。
【００４５】
前記部材本体６は、前記廻しベルト３及び前記連結ベルト４よりも変形し難い基材６Ａから前記接続領域Ｐ１及びそれの両側脇領域と接続領域Ｐ１に連続する連結ベルト４に対して当て付け可能な形態に、本例では、正面視略逆Ｔの字状に構成されている。
【００４６】
前記基材６Ａは、シート状の中間クッション材６ａと、布製の裏面材６ｂ（つまり、キャッチャーの身体に対する接触する側の面材）と、皮革製の表面材６ｃとを積層して構成されている。基材６Ａの周縁部には、基材６Ａの端面を被覆する布製の縁材６Ｂが縫着されている。
【００４７】
なお、前記部材本体６の中央部には、表面材６ｃと裏面材６ｂとを縫着して構成された多数の屈曲誘導部６ｄが略扇の骨状に配置形成されている。
【００４８】
前記取り付け部７は、前記部材本体６の移動を一定範囲内で許容する状態で部材本体６を胸腹部プロテクターＰに取り付けるように構成されており、詳しくは、廻しベルト３又は連結ベルト４を部材本体６の移動代に相当する余幅を持ってベルト幅方向で包囲する複数（本例では４個）の取り付けバンド７Ａ〜７Ｄを、部材本体６の表面（つまり、表面材６ｃの表面）に配設して構成されている。
【００４９】
取り付けバンド７Ａ、７Ｂは、姿勢保持部材５の胸腹部プロテクターＰへの取り付け状態において部材本体６における廻しベルト３の両側脇領域に夫々対応する部位に配設され、取り付けバンド７Ｃは、前記取り付け状態において部材本体６における連結ベルト４の中間領域に対応する部位に配設され、取り付けバンド７Ｄは、前記取り付け状態において部材本体６における連結ベルト４の中間領域よりも掛けベルト２側（本例では上方側）の掛けベルト側領域に対応する部位に配設されている。
【００５０】
そのため、姿勢保持部材５のプロテクター本体１に対する姿勢安定性を効果的に確保しながらも、胸腹部プロテクターＰの装着時に使用者の身体形状や姿勢に応じた納まりのよい位置に姿勢保持部材５が移動するのを効果的に許容する。
【００５１】
各取り付けバンド７Ａ〜７Ｄは、非伸縮性素材からなる織物製の非弾性帯７ａと、この非弾性帯７ａの両端部を係止する係止手段７ｂとから構成され、非弾性帯７ａの中間部を部材本体６の表面に対してリベット７ｃ（止具の一例）で止着することにより部材本体５の各部位に配設されている。
【００５２】
前記係止手段７ｂは、互いに係脱自在な雄ホック７ｄと雌ホック７ｅを非弾性帯７ａの両端部の各所定位置に分散配設して構成されており、廻しベルト３又は連結ベルト４を前記余幅を持ってベルト幅方向で包囲するように非弾性帯７ａの両端部を重ねた状態で、それら両端部を係止可能に構成されている。
【００５３】
なお、部材本体６の移動代に相当する余幅とは、取り付けバンド７Ａ〜７Ｄの各包囲幅Ｈａ〜Ｈｄと、取り付けバンド７Ａ〜７Ｄの各包囲対象ベルトのベルト幅Ｈ３（廻しベルト３のベルト幅）、Ｈ４（連結ベルト４のベルト幅）との差を云う。
【００５４】
また、前記取り付けバンド７Ｄの包囲幅Ｈｄは、取り付けバンド７Ｃの包囲幅Ｈｃよりも広く構成されており、廻しベルト３に対する掛けベルト２の移動（変位）を効果的に許容する。
【００５５】
つまり、この胸腹部プロテクターＰは、図４に示すように、掛けベルト２をキャッチャーの首又は肩に掛けた仮装着状態にする際に、姿勢保持部材５によって廻しベルト３における前記接続領域Ｐ１よりもベルト長手方向に広い領域について湾曲及び屈曲を抑止する形態で、廻しベルト３が連結ベルト４や掛けベルト２に絡まったりプロテクター本体１に引っ掛かったりするのを効果的に抑止し、これにより、仮装着状態において廻しベルト３の取り付け端部が本来あるべき位置範囲に配置される確率を効果的に向上させて、装着に要する時間や手間が不測に増大するのを効果的に抑止する。
【００５６】
［第２実施形態］
前述の第１実施形態では、首掛け用又は肩掛け用の掛けベルト２と、胴廻し用の廻しベルト３と、掛けベルト２と廻しベルト３の中間部どうしを連結する連結ベルト４が、プロテクター本体１に設けられている胸腹部プロテクターＰに、廻しベルト３における連結ベルト４の接続領域Ｐ１よりもベルト長手方向に広い領域について湾曲及び屈曲を抑止する姿勢保持部材５（前記姿勢保持手段の一例）が設けられている場合を例に示したが、これに限られるものではない。
【００５７】
この第２実施形態では、図５に示すように、首掛け用又は肩掛け用の掛けベルト２と胴廻し用の廻しベルト３が互いに独立する状態で前記プロテクター本体１に設けられている胸腹部プロテクターＰに、廻しベルト３の湾曲及び屈曲を抑止する姿勢保持部材５（姿勢保持手段の一例）が設けられている。
【００５８】
前記掛けベルト２は、伸縮性素材からなる１本の弾性帯から構成されており、掛けベルト２のベルト両端部の夫々が、プロテクター本体１の両肩部１ａに対し直接或いは止具などを介して止着されている。
【００５９】
前記姿勢保持部材５は、前記廻しベルト３の湾曲及び屈曲を接当により抑止する部材本体６に、胸腹部プロテクターＰに対して部材本体６を脱着自在に取り付け可能な取り付け部７（取り付け手段の一例）を設けて構成されている。
【００６０】
前記部材本体６は、前記廻しベルト３及び前記連結ベルト４よりも変形し難い基材６Ａから正面視において横長の面取長方形状に構成されている。
【００６１】
前記取り付け部７は、前記部材本体６の移動を一定範囲内で許容する状態で部材本体６を胸腹部プロテクターＰに取り付けるように構成されており、詳しくは、廻しベルト３を部材本体６の移動代に相当する余幅を持ってベルト幅方向で包囲する複数（本例では２個）の取り付けバンド７Ａ、７Ｂを、部材本体６の表面（つまり、表面材６ｃの表面）における両側部位に配設して構成されている。
【００６２】
つまり、この胸腹部プロテクターＰは、掛けベルト２をキャッチャーの首又は肩に掛けた仮装着状態にする際に、姿勢保持手段５によって廻しベルト３の湾曲及び屈曲を抑止する形態で、廻しベルト３が掛けベルト２に絡まったりプロテクター本体１に引っ掛かったりするのを効果的に抑止する。
【００６３】
尚、その他の構成は、第１実施形態で説明した構成と同一であるから、同一の構成箇所には、第１実施形態と同一の番号を付記してそれの説明は省略する。
【００６４】
［第３実施形態］
前述の第１実施形態では、姿勢保持部材５が、胴廻し用の廻しベルト３と連結ベルト４とに重なる状態で胸腹部プロテクターＰに設けられている場合を例に示したが、姿勢保持部材５が、廻しベルト３の少なくとも一部に代えて、又は、廻しベルト３の少なくとも一部と連結ベルト４の少なくとも一部の両方に代えて設けられてもよい。
【００６５】
この第３実施形態では、図６に示すように、前記姿勢保持部材５が、廻しベルト３の一部と連結ベルト４の全部に代えて胸腹部プロテクターＰに設けられている。
【００６６】
詳しくは、前記姿勢保持部材５が、前記廻しベルト３における連結ベルト４の接続相当領域Ｐ２（つまり、連結ベルト４があると想定した場合における下部接続部材４ａの取り付け領域、図６中の点線表示を参照）よりもベルト長手方向に広い領域（姿勢保持領域）について湾曲及び屈曲を抑止する部材本体６から構成されている。この部材本体６は、胸腹部プロテクターＰに対し縫着や接着などにより取り付け可能に構成されている。
【００６７】
そして、前記廻しベルト３が、前記掛けベルト２よりもやや幅広の一対の弾性帯３ｅ、３ｆを姿勢保持部材５（詳しくは、部材本体６）で連結（詳しくは、姿勢保持部材５に対する縫着により連結）して構成されているとともに、姿勢保持部材５の上端部が、皮革製の上部接続部材４ｄに縫着される形態で掛けベルト２の中間部に接続されている。
【００６８】
つまり、この胸腹部プロテクターＰは、掛けベルト２をキャッチャーの首又は肩に掛けた仮装着状態にする際に、姿勢保持部材５によって廻しベルト３における前記接続相当領域Ｐ２よりもベルト長手方向に広い領域について湾曲及び屈曲を抑止する形態で、廻しベルト３が連結ベルト４や掛けベルト２に絡まったりプロテクター本体１に引っ掛かったりするのを効果的に抑止する。
【００６９】
なお、その他の構成は、第１実施形態で説明した構成と同一であるから、同一の構成箇所には、第１実施形態と同一の番号を付記してそれの説明は省略する。
【００７０】
［その他の実施形態］
（１）姿勢保持部材５を胸腹部プロテクターＰに取り付ける取り付け手段７の取り付け形態は、前述第１、第３実施形態で示した如き取り付けバンド７Ａ〜７Ｄによるものに限らず、面ファスナーなどの係止部材や連結紐などの連結部材などによるものなど、種々の取り付け形態を採用することができる。
【００７１】
（２）前述の各実施形態では、姿勢保持部材５が略逆Ｔの字状や横長の面取り長方形状である場合を例に示したが、円形や角形や楕円形などの種々の形状であってもよい。
【００７２】
（３）姿勢保持部材５の素材などの具体的構成は、前述の各実施形態で示した如き構成に限らず、種々の構成変更が可能である。
【００７３】
（４）また、プロテクター本体１や各ベルト２〜４の具体的構成も、前述の各実施形態で示した如き構成に限らず、種々の構成変更が可能である。
【００７４】
（５）前述の各実施形態では、前記廻しベルト３の両端部が、前記プロテクター本体１に対して脱着自在に構成されている場合を例に示したが、廻しベルト３の一端部のみが、前記プロテクター本体１に対して脱着自在に構成されていてもよい。
【００７５】
（６）前述の第１実施形態では、姿勢保持手段５が、前記廻しベルト３における前記連結ベルト４の接続領域Ｐ１及びそれの両側脇領域並びに接続領域Ｐ１に連続する連結ベルト４を姿勢保持領域に含むように構成されている場合を例に示したが、少なくとも前記廻しベルト３における前記連結ベルト４の接続領域Ｐ１を姿勢保持領域に含む構成であればよい。
【００７６】
（７）前述の第３実施形態では、姿勢保持手段５が、前記廻しベルト３における前記連結ベルト４の接続相当領域Ｐ２及びそれの両側脇領域並びに接続相当領域Ｐ２に連続する連結ベルト４（正確には、連結ベルト４に相当する領域）を姿勢保持領域に含むように構成されている場合を例に示したが、少なくとも前記廻しベルト３における前記連結ベルト４の接続相当領域Ｐ２を姿勢保持領域に含む構成であればよい。
【００７７】
（８）前述の第１実施形態では、姿勢保持手段５が、前記廻しベルト３における前記接続領域Ｐ１に連続する連結ベルト４の全部を姿勢保持領域に含むように構成されている場合を例に示したが、接続領域Ｐ１に連続する連結ベルト４の一部を姿勢保持領域に含むように構成されていてもよい。
【００７８】
（９）前述の第３実施形態では、姿勢保持手段５が、前記廻しベルト３における前記接続相当領域Ｐ２に連続する連結ベルト４（正確には、連結ベルト４に相当する領域）の全部を姿勢保持領域に含むように構成されている場合を例に示したが、接続相当領域Ｐ２に連続する連結ベルト４の一部を姿勢保持領域に含むように構成されていてもよい。
【００７９】
（１０）前述の各実施形態では、野球又はソフトボールにおけるキャッチャー用の胸腹部プロテクターＰを例に示したが、野球又はソフトボールの審判用の胸腹部プロテクターや日常的に装着する護身用の胸腹部プロテクターなどであってもよい。
【図面の簡単な説明】
【００８０】
【図１】本発明の胸腹部プロテクターの第１実施形態を示す背面図
【図２】姿勢保持部材の斜視図
【図３】図２のＩＩＩ−ＩＩＩ線断面図
【図４】胸腹部プロテクターの使用状態を示す説明図
【図５】本発明の胸腹部プロテクターの第２実施形態を示す背面図
【図６】本発明の胸腹部プロテクターの第３実施形態を示す背面図
【符号の説明】
【００８１】
Ｐ          胸腹部プロテクター
１          プロテクター本体
２          掛けベルト
３          廻しベルト
４          連結ベルト
Ｐ１        接続領域
Ｐ２        接続相当領域
５          姿勢保持部材（姿勢保持手段）
６          部材本体
７          取り付け部（取り付け手段）
７Ａ〜７Ｄ  取り付けバンド
【図１】
2008266807.tif 000003
【図２】
2008266807.tif 000004
【図３】
2008266807.tif 000005
【図４】
2008266807.tif 000006
【図５】
2008266807.tif 000007
【図６】
2008266807.tif 000008